(57)【特許請求の範囲】
【請求項１】
踏み台上面を構成する踏み面材と、踏み面材を載置する踏み面ベース材と、踏み台外周側面を構成する外周パネル材とを有する屋外用踏み台であって、踏み面ベース材の周縁に沿って取り付けた見切り受け材に着脱可能に見切りカバー材を取付け、この見切りカバー材で前記踏み面材の周縁を被覆することによって当該踏み面材を着脱可能に係止することを特徴とする屋外用踏み台。
【請求項２】
高さ調節可能な脚部材上に踏み面ベース材を敷設することによって踏み台の高さを調節可能とした請求項１に記載の屋外用踏み台。
【請求項３】
踏み面ベース材は排水溝を備え、踏み面材は面内に排水可能な隙間を備えてなるものである請求項１又は２に記載の屋外用踏み台。
【請求項４】
踏み面材と見切りカバー材との間に空隙を設けることを特徴とする請求項１〜３のいずれかに記載の屋外用踏み台。
【請求項５】
見切りカバー材は、踏み面材の端部上方を被覆する水平被覆片部と、垂直被覆片部と、これら水平被覆片部及び垂直被覆片部の入隅部から突出した係合溝部とを有するものであり、
見切り受け材は、水平固着片部と、垂下片部と、これら水平固着片部及び垂下片部の出隅部の外側に沿って設けられた前記見切りカバー材の係合溝部と係合可能な係合受溝とを有するものである請求項１〜４のいずれかに記載の屋外用踏み台。
【請求項６】
外周パネル材の下端部を支持ブラケットで支持する一方、外周パネル材の上端部を上記見切りカバー材の垂直被覆片部と見切り受け材の垂下片部との間に嵌入して上下から外周パネル材を挟持して着脱可能に取り付けることを特徴とする請求項５に記載の屋外用踏み台。
【発明の詳細な説明】
【０００１】
【発明の属する技術分野】
本発明は、住宅の勝手口や庭に面した建物の縁側、或いは屋外に設けるバルコニー、テラス、ベランダなど、地面より一段高くなった床面への出入りを容易にするために屋外に設置する屋外用踏み台に関する。
【０００２】
【従来の技術】
この種の屋外用踏み台は、従来、石材を削って形成するか、或いは湿式工法によってコンクリートを成型して形成するのが一般的であったが、いずれも重量が大きく、熟練した技術が必要であったため、簡単に施工できるものではなく、高価でもあった。
【０００３】
そこで最近、例えば特開平９−２５０２２１号などに開示されているように、合成樹脂から筐体状のステップ本体を形成し、このステップ本体の上面に複数のタイルを装着する構成のものが提案されている。
【０００４】
【発明が解決しようとする課題】
しかし、このような合成樹脂製の踏み台の場合、大量生産可能であるから安価に提供することができ、しかも軽量である上に特別な技術がなくても誰でも簡易に施工できる反面、合成樹脂製であるが故に傷が付き易く、見た目も悪化し易いにもかかわらず、補修が難しいという課題を有していた。またその他にも、上面の差し替えが効かないためにバリエーションが少ない。ステップ上面に雨水等が溜りやすい。温度変化によるタイルプレートの膨張を吸収できずに歪が生じる。高さの調節ができないなどの課題を抱えていた。
【０００５】
そこで本発明は、大量生産可能で安価に提供することができ、誰でも容易に施工することができ、しかもそれでいて、上面を構成する面材をタイル調、木質調、ガラス質調など種種の面材に容易に差し替えて提供することができ、これら上面や周側面などに傷が付いたとしても簡単に補修することができ、上面に雨水等が溜まることがなく、温度変化によって歪が生じることもなく、更には高さの調節ができ汎用性に優れた屋外用踏み台を提供せんとするものである。
【０００６】
【課題を解決するための手段】
かかる課題を解決するため、本発明は、踏み台上面を構成する踏み面材と、踏み面材を載置する踏み面ベース材と、踏み台外周側面を構成する外周パネル材とを有する屋外用踏み台において、踏み面ベース材の周縁に沿って取り付けた見切り受け材に着脱可能に見切りカバー材を取付け、この見切りカバー材で前記踏み面材の周縁を被覆することによって当該踏み面材を着脱可能に係止するように構成した。
かかる構成を備えた屋外用踏み台は、言ってみれば中空の踏み台であるから従来の石材やコンクリート製の踏み台に比べ軽量かつ安価に生産し提供することができる。また、踏み面材の取付は、踏み面ベース材上に載置し、この周縁を見切りカバー材で被覆して係止する組立て式であるから、踏み面材をタイル調、木質調、ガラス質調など種種の材質及び種種のデザインに容易に差し替えることができ、様様なバリエーションの踏み台をより安価に提供することができる。しかも、この踏み面材は着脱容易であるから、仮に破損したとしても容易に取り替えることができ簡易かつ安価に補修を行うことができる。
【０００７】
上記構成において、高さ調節可能な脚部材上に踏み面ベース材を敷設することによって踏み台の高さを調節可能とすることができる。
このように踏み台の高さを調節できれば、例えば段差の大きな屋外床等にも、段差の小さな屋外床等にも対応して設置することができ、複数の踏み台を用意する必要がないから汎用性が高く、この点からも安価に提供することができる。
【０００８】
上記構成において、踏み面ベース材は排水溝を備え、踏み面材は面内に排水可能な隙間を備えてなる構成をとるのが好ましい。かかる構成により、踏み台上面に雨水などが降っても、踏み面材内の隙間から踏み面ベース材に流下し、これを踏み面ベース材の排水溝で受けて適切に排水させることができる。
【０００９】
また、踏み面材と見切りカバー材との間には踏み面材の膨張を吸収する空隙を設けることも好ましい。本発明では、踏み面材をあえて固定することなく、踏み面材は踏み面ベース材上に載置し、見切りカバー材で囲っているだけであるから、踏み面材と見切りカバー材との間に踏み面材の膨張を吸収する空隙を設けておけば、踏み面材が熱膨張してもかかる空隙で吸収することができ、見切りカバー材や踏み面材の歪みを阻止できる。
【００１０】
上記見切りカバー材は、例えば、踏み面材の端部上方を被覆する水平被覆片部と、垂直被覆片部と、これら水平被覆片部及び垂直被覆片部の入隅部から突出した係合溝部とを有するように形成し、見切り受け材は、例えば水平固着片部と、垂下片部と、これら水平固着片部及び垂下片部の出隅部の外側に沿って設けられた前記見切りカバー材の係合溝部と係合可能な係合受溝とを有するように形成するのが好ましい。このように見切りカバー材と見切り受け材を形成すれば、見切りカバー材を容易に着脱させることができる。
【００１１】
また、外周パネル材の下端部を支持ブラケットで支持する一方、外周パネル材の上端部を上記見切りカバー材の垂直被覆片部と見切り受け材の垂下片部との間に嵌入して上下から外周パネル材を挟持して着脱可能に取り付ければ、かかる外周パネル材の補修も容易に行うことができる。
【００１２】
なお、本発明の踏み台のコーナー部分は、コーナー部分をも被覆し得る見切りカバー材及び外周パネル材を装着して構成することもできるが、後述する実施例のようにカバー材及び外周パネル材とは別体のコーナーカバー材を装着してコーナー部分の踏み面材の周縁から踏み台外周側面にかけて被覆するように構成することもできる。
【００１３】
【発明の実施の形態】
以下、本発明の一実施形態としての踏み台１について図面を参照しながら説明する。
【００１４】
踏み台１は、図１〜図４に示すように、少なくとも、脚部材としての床支持束２と、床支持束２上に架設された根太３と、根太３上に敷設された踏み面ベース材４と、踏み面ベース材４上に載置された踏み面材５と、踏み面材５の周縁を被覆して踏み台上縁部を構成する見切りカバー材６と、見切りカバー材６を着脱可能に支持する見切り受け材７と、踏み台外周側面を構成する外周パネル材８と、この外周パネル材８を支持する支持ブラケット９（９Ａ、９Ｂ）と、踏み台の各コーナー（四隅）において踏み面材５の周縁から踏み台外周側面にかけて被覆するコーナーカバー材１０とから構成されている。
以下、この踏む台１の構成を骨格及び上面構造、見切り構造、外周側面構造及びコーナー構造に分けて説明する。
【００１５】
（骨格及び上面の構造）
踏み台１の骨格及び上面すなわち踏み面は、図２〜図３に示すように、長方形状内の四隅付近に合計４本の床支持束２を立脚させ、これら４本の床支持束２上に２本の根太３を踏み台長さ方向に架け渡し、これら根太３上に２枚の踏み面ベース材４を敷設し、更にこの踏み面ベース材４上に２枚の踏み面材５を固定することなく載置し、そしてこれら踏み面材５の周縁を各辺毎に見切りカバー材６で被覆するようにして構成してある。
【００１６】
床支持束２は、図５などに示すように、アクリロニトリルエチレンプロピレンゴムスチレン共重合体（ＡＥＳ）等の硬質合成樹脂製であって、筐体上面内に雌螺子体を設けてなる設置部材２Ａと、前記雌螺子体に螺合可能な雄螺子体２ａを周囲に形成してなる軸部２ｂ、雄螺子体２ａを回動するための把持部２ｃ、及び雄螺子体２ａ、前記雌螺子体間の螺合を固定するためのロックナット２dからなるアジャスター２Ｂと、アジャスター２Ｂの上端に回動自在に嵌合させた根太支持用の受枠２Ｃとから構成され、アジャスター２Ｂの把持部２ｃを回動して受枠２Ｃを移動させることにより任意に高さを調整することができ、所定高さの位置でロックナット２ｄを締め付けて固定することができる。
このように脚部材としての床支持束２は、その支持高さを自在に調節できるから、施工現場において踏み台１を適切な高さに調整することができる。
【００１７】
根太３は、図６などに示すように、断面矩形状３ａの下端縁に沿ってそれぞれ鍔部３ｂを形成してなるアルミニウム型材であり、床支持束２の受枠２Ｃ上に載置してビス固定してある。
なお、根太３は、アルミニウム以外の適宜素材のものを用いることができるが、軽量でかつ錆び難い素材を採用するのが好ましい。また、根太３の形は、Ｈ型、Ｌ型、断面矩形型など任意である。
【００１８】
踏み面ベース材４は、図７などに示すように、ポリ塩化ビニル（ＰＶＣ）などの硬質合成樹脂を押出成形してなるスノコ状のデッキ材であり、詳しくは断面偏平長方形状の内部を複数に区画してなる２つの扁平筒部４ａを凹溝部４ｂを介して並設すると共に、少なくとも一方の筒部４ａの一側に凹溝部４ｃを並設して形成してあり、３枚の踏み面ベース材４を、扁平筒部４ａが踏み台１の巾方向を向くように根太３上に並べてビス固定してある。
この踏み面ベース材４は、踏み面材５の支持材としてばかりではなく、踏み面材５から流下してきた雨水等を凹溝部４ｂ、４ｃで受けて排水部へ案内し得る機能を有している。
なお、踏み面ベース材４は、一枚型に形成することも可能である。
【００１９】
踏み面材５は、図１〜図３に示すように、タイル５ａとタイル５ａを支持固定するポリエチレン（ＰＥ）などの合成樹脂製のタイル受け材５ｂとからなる単位パネル材を前後左右に連結して構成してある。この際、隣接する単位パネル材との間には適宜隙間５ｄを設け、この隙間５ｄ内において単位パネル間に連結部５ｅを形成して連結してあり、雨が振ったり、上面を水洗いした場合も、踏み面材５上の水は隙間５ｅから下の踏み面ベース材４に落下して踏み面材５上には溜まらないようになっている。また、踏み面材５の周縁は見切りカバー材６及びコーナーカバー材１０で覆って当該踏み面材５を抑え付けて係止してあるから、踏み面材５が風などによって吹き飛ばされることはない。さらにこの場合、釘やネジなどを使わずに踏み面材５を止めてあるから、踏み面材５の床表面に釘頭やネジ頭が露出することがなく、外観意匠を損ねることがないばかりか、裸足で踏んでも安全である。
【００２０】
なお、本例のようにタイルで踏み面材５の表面を構成すれば、優れた意匠性を付与することができるが、タイル以外にも石材やガラス材、合成樹脂材などその他の素材から踏み面材５の上面を形成することもできる。しかも、この踏み面材５の取付は、踏み面ベース材４上に載せてこの周縁を着脱容易な見切りカバー材６で被覆して係止する簡易な組立て式であるから、タイル調、木質調、ガラス質調など種種の材質や種種のデザインの踏み面ベース材４に容易に差し替えることができ、様様なバリエーションの踏み面（上面）を有する踏み台１をより安価に提供することができる。
【００２１】
（見切り構造）
上述のように、踏み面材５の周縁は見切りカバー材６で覆って踏み台上縁部を構成しているが、この見切りカバー材６は見切り受け材７を介して着脱可能に取り付けてあり、これら見切りカバー材６と見切り受け材７とで見切り構造を構成させてある。
【００２２】
見切りカバー材６は、図２及び図３に示すように、ポリ塩化ビニル（ＰＶＣ）などの可撓性を有する硬質合成樹脂板から形成してあり、水平被覆片部６ａと垂直被覆片部６ｂとから断面略Ｌ字状を形成し、この断面Ｌ字状の入隅部から斜め下方に突出するように係合溝部６ｃを設けて形成してあり、この係合溝部６ｃを構成する壁部にはそれぞれ外側面に係合波部を形成してある。
【００２３】
他方、見切り受け材７は、ポリ塩化ビニル（ＰＶＣ）などの可撓性を有する硬質合成樹脂板から形成してあり、水平固着片部７ａと垂下片部７ｂとからなる出隅部の外側に沿って上記係合溝部６ｃと係合可能な係合受溝部７ｃを設けて形成してある。この係合受溝部７ｃは、前記出隅部の外側に起立片部７ｄ及び水平片部７ｅを延設し、これら起立片７ｄ及び水平片７ｅの端部をそれぞれ外向き斜め上方に突出片部７ｆ、７ｆを突設して溝部を形成し、更にこれら突出片部７ｆ、７ｆの内側面にはそれぞれ上記係合溝部６ｃの係合波部と係合可能な係合波を形成してある。
【００２４】
ここで、見切りカバー材６及び見切り受け材７の取り付けについて詳しく説明すると、見切り受け材７は、その水平固着片部７ａを踏み面ベース材４上にビス固定して、図４に示すように、踏み面ベース材４の外周縁に沿って囲むように取り付けてあり、断面で見ると、見切り受け材７の起立片部７ｄが踏み面材５を囲んで踏み面材５、５が外側にずり落ちるのを防いでいる。この際、見切り受け材７の起立片部７ｄと踏み面材５の周縁との間には適宜幅の空隙Ｈを空けてあり、踏み面材５が熱膨張したとしてもこの空隙Ｈで吸収して踏み面材５及び見切りカバー材６が歪むのを阻止するようにしてある。
【００２５】
そして、上記のように見切り受け材７を取り付ければ、係合受溝部７ｃ内に係合溝部６ｃを押し込むだけで見切りカバー材６を取り付けることができる。この際、見切りカバー材６の水平被覆片部６ａは、踏み面材５の周端縁を上方から抑え付けることになり踏み面材５の離脱を防ぐことができると共に、水平被覆片部６ａと垂直被覆片部６ｂとで踏み面材５端縁部の上方及び側方を被覆するから踏み面材５の端部の納まりを良くして外観意匠を高めている。
また、見切りカバー材６は、係合受溝部７ｃから係合溝部６ｃを引き抜くことにより簡単に離脱させることができるから、仮に踏み面材５が破損したとしても見切りカバー材６を外して破損した単位パネルを簡単に交換することができ、安価かつ簡易に破損箇所の補修を行うことができる。
【００２６】
（外周側面構造）
踏み台１の外周側面構造は、各面に対応した大きさの外周パネル材８を垂下させ囲んで形成してあり、この外周パネル材８は、その上端部を上記見切りカバー材６の垂直被覆片部６ｂと見切り受け材７の垂下片部７ｂとの間に下方から嵌入する一方、下端部を支持ブラケット９Ａ或いは９Ｂで支持するようにして、すなわち上下から外周パネル材８を着脱可能に挟持してある。
【００２７】
外周パネル材８は、図２及び図３に示すように、合成樹脂或いはアルミ等の金属からなる板体状の表面材８Ａの裏面全面に適宜厚さの硬質ウレタンフォームからなる裏打ち材８Ｂを付着して形成してあり、表面材８Ａは、板体の表面８ａに適当な意匠を施すと共に当該板体の下端縁部を内側に丸く折り返して係合溝部８ｂを形成してある。他方、裏打ち材８Ｂは、この係合溝部８ｂの上方の板体裏面全面に固着してある。なお、裏打ち材８Ｂの素材は、硬質ウレタンフォームに限定するものではなくその他の硬質発泡樹脂であってもよいし、また、ある程度の弾性を有する合成樹脂やゴムなどであってもよい。
【００２８】
支持ブラケット９Ａ、９Ｂはいずれも、適宜幅を有する垂下板体９ａの上縁両端部からそれぞれ内側に水平固着片部９ｂを張設し、垂下板体９ａの下端部を外側に折り返して支持受部９ｃを形成したものであり、支持ブラケット９Ａは、根太３の鍔部３ａに水平固着片部９ｂを重ねてビス固定することによって根太３の長さ方向に適宜間隔をおいて垂下状に取付け、支持ブラケット９Ｂは同じく根太３の鍔部３ｂに水平固着片部９ｂを重ねてビス固定することによって２本の根太３の端部間を連結するように垂下状に取付けてある。
そして、このようにして取り付けた支持ブラケット９Ａ、９Ｂの支持受部９ｃを係合溝部８ｂ内に係合させて外周パネル材８を支持させてある。
【００２９】
以上のように、外周パネル材８は、その上端部を上記見切りカバー材６の垂直被覆片部６ｂと見切り受け材７の垂下片部７ｂとの間に嵌入し、下端部の係合溝部８ｂを支持ブラケット９Ａ或いは９Ｂの支持受部９ｃに係合させて挟持するようにして着脱可能としてあるから、簡単に組立てることができると共に、仮に外周パネル材８が破損したとしても破損した外周パネル材８のみを容易に交換することができ、安価かつ簡易に破損箇所の補修を行うことができる。
【００３０】
（コーナー構造）
次に踏む台１のコーナー構造であるが、図１に示すように、各コーナー部には見切りカバー材６及び外周パネル材８と連続するようにコーナーカバー材１０を装着してある。
【００３１】
ここで、コーナーカバー材１０は、図１及び図８に示すように、アクリロニトリルエチレンプロピレンゴムスチレン共重合体（ＡＥＳ）等の硬質合成樹脂製であって、見切りカバー材６の水平被覆片部６ａ及び垂直被覆片部６ｂより肉厚分だけ大きく、かつ上端縁部を水平被覆片部６ａの先端縁部に係合することができる上面視Ｌ字状の上面カバー部１０ａと、この上面カバー部１０ａの下側に連続してなる側面カバー部１０ｂと、側面カバー部１０ｂの内側の直交する各面内の水平位置に設けた係止受部１０ｃ、１０ｃとを備えるように形成してある。
【００３２】
このコーナーカバー材１０は、上面カバー部１０ａを見切りカバー材６の水平被覆片部６ａ及び垂直被覆片部６ｂの端縁部に重ねてその端縁部を前記水平被覆片部６ａの先端縁部に係合させると共に、側面カバー部１０ｂを外周パネル材８の端縁部に重ね、帯状金属板をＬ字状に屈曲した如きコーナー係止部材１１を係止受部１０ｃ、１０ｃに嵌合させてそのの両端部を外周パネル材８の内側面に当接することにより、コーナー係止部材１１と外周パネル材８とで側面カバー部１０ｂを挟持するようにして固定してある。したがって、このコーナーカバー材１０も、コーナー係止部材１１を取り去ることによって簡単に取り外すことができるから、外周パネル材８同様、安価かつ簡易に破損箇所を補修することができる。
【図面の簡単な説明】
【図１】本発明の一実施例に係る踏み台の一例を示した斜視図である。
【図２】図１の一側端部分のＢ−Ｂ線断図である。
【図３】図１のＡ−Ａ線断面図である。
【図４】図１の踏み台において、踏み面材、見切りカバー材、外周パネル材及びコーナーカバー材を取り付ける前の状態を示した斜視図である。
【図５】図１の踏み台を構成する床支持束の一例を示した斜視図である。
【図６】図１の踏み台を構成する根太の一例を示した斜視図である。
【図７】図１の踏み台を構成する踏み面ベース材の一例を示した斜視図である。
【図８】図１の踏み台を構成するコーナーカバー材とこれを固定するためのコーナー係止部材の一例を示した斜視図である。
【符号の説明】
１    踏み台
２    床支持束
３    根太
４    踏み面ベース材
５    踏み面材
６    見切りカバー材
６ａ  水平被覆片部
６ｂ  垂直被覆片部
６ｃ  係合溝部
７    見切り受け材
７ａ  水平固着片部
７ｂ  垂下片部
７ｃ  係合受溝部
７ｄ  起立片部
７ｅ  水平片部
７ｆ  起立片
８    外周パネル材
８Ａ  表面材
８Ｂ  裏打ち材
８ｂ  係合溝部
９，９Ａ，９Ｂ  支持ブラケット
１０  コーナーカバー材
１１  コーナー係止部材
【図１】
0003819707.tif 000002
【図２】
0003819707.tif 000003
【図３】
0003819707.tif 000004
【図４】
0003819707.tif 000005
【図５】
0003819707.tif 000006
【図６】
0003819707.tif 000007
【図７】
0003819707.tif 000008
【図８】
0003819707.tif 000009